(57)【要約】【課題】  掲示板の運営者、掲載者および訪問者のいずれにとっても利点があり且つ使い勝手のよい電子メール管理システムを提供する。【解決手段】  アドレス非公開の書き込み者Ｍ１による掲示板１ａへ書き込みを受け付け、インターネットＩＮを介して訪問者Ｍ２からの訪問を受け付ける管理を行うサーバー１と、訪問者Ｍ２に贈り物Ｐに対する代金支払い情報を送信し、支払い代金の決済確認を行う決済手段２と、贈り物送付情報、代金支払い情報、決済確認情報等を記憶する記憶装置３とを備えて電子メール管理システムが構成される。訪問者Ｍ２が書き込み者Ｍ１に対して贈り物Ｐの送付と電子メールの送付を求めたときに、決済手段２は訪問者Ｍ２に贈り物の代金支払い情報を送り、その決済終了を決済手段２が確認したときに、サーバー１は記憶装置３に記憶された書き込み者の非公開の電子メールアドレスを訪問者に通知し、書き込み者の贈り物送付情報に基づいて、贈り物を書き込み者に贈る。【選択図】  図１
2004185636.tif 000002
【特許請求の範囲】
【請求項１】
インターネット上で閲覧可能な掲示板であって、アドレス非公開での書き込み者による記事の書き込みが可能な掲示板を有し、インターネットを介した前記掲示板への訪問者による前記書き込み者の前記非公開アドレスに対する電子メールの送信を管理するシステムであって、
アドレス非公開の書き込み者による前記掲示板への記事の書き込みを受け付け、且つ、インターネットを介して前記掲示板に対する訪問者からの訪問を受け付ける管理を行うサーバーと、
前記サーバーを介して前記訪問者に贈り物に対する代金支払い情報を送信し、前記訪問者による支払い代金の決済確認を行う決済管理手段と、
掲示板に記事の書き込みを行った書き込み者を贈り物送付先とする贈り物送付情報、前記代金支払い情報、前記決済確認情報等を記憶する記憶手段とを備えて構成され、
インターネット上で前記サーバーにより管理された前記掲示板を訪問した訪問者が前記掲示板の記事の書き込み者に対して贈り物の送付と電子メールの送付を求めたときに、前記決済管理手段は前記サーバーを介して前記訪問者に対して贈り物の代金支払い情報を送り、
インターネット上で前記サーバーを介して前記訪問者による前記贈り物の代金支払い先に対する決済終了を前記決済手段が確認したときに、前記サーバーは前記記憶手段に記憶された前記書き込み者の非公開の電子メールアドレスを前記訪問者に通知し、
前記記憶手段に記憶された前記書き込み者の贈り物送付情報に基づいて、前記贈り物を前記書き込み者に贈ることを特徴とする電子メール管理システム。
【請求項２】
前記記憶手段に記憶された前記書き込み者の贈り物送付情報に基づいて、サイト管理者により通常の流通手段を用いて、前記贈り物を前記書き込み者に贈ることを特徴とする請求項１に記載の電子メール管理システム。
【発明の詳細な説明】
【技術分野】
【０００１】
本発明は、パーソナルコンピュータや携帯電話端末などの端末装置を使い、インターネット上での電子メール送受信を、制御・管理する電子メール管理システムに関し、さらに詳しくはこのシステムが管理する掲示板の掲載者に対する電子メール送信を管理するシステムに関する。
【背景技術】
【０００２】
現在、パーソナルコンピュータや携帯電話を用いて、インターネット上の掲示板にアクセスして、掲示板の書き込み記事の書き込み者に対する電子メールの送受信をすることが一般的に行われており、例えば、無料で、又はサイト運営者が会費及び料金を直接徴収する方法で運営されている。又、インターネット上の物品販売においては、贈り物を購入する場合、ショッピングモール運営者又は販売者に購入代金を直接支払い、送り先の住所、氏名を記入し、商品を送って貰うという方法で実施されている。
【発明の開示】
【発明が解決しようとする課題】
【０００３】
現状の掲示板においては、インターネット上での掲示板の書き込み記事の書き込み者とこの掲示板への訪問者の数のバランス、すなわち、電子メールの送信数と受信数のバランスが大きく相違する場合がある。特に出会い系サイトと呼ばれる掲示板においては、書き込み数と訪問者数との比、すなわち電子メールの送受信数比におけるバランス（男女のバランス）が極度に相違しているのが現状である。
【０００４】
特に、インターネットはコンピュータという極めてコピー、ペーストが簡単にできる装置を使用しているため、且つ、電子メール送信には直接的な費用があまりかからないため、訪問者の一人当たりの電子メール発信数がどうしても多くなっているのが現状である。なお、インターネット上での贈り物の購入送付においては、送り先相手の住所を知らなくては贈り物を贈ることができない。
【０００５】
本発明はこのような事情に鑑み、掲示板の掲載者と訪問者とのアンバランスを小さくでき、且つ、掲示板の運営者、掲載者および訪問者のいずれにとっても利点があり且つ使い勝手のよい電子メール管理システムを提供することを目的とする。
【課題を解決するための手段】
【０００６】
本発明に係る電子メール管理システムは、インターネット上で閲覧可能な掲示板であって、アドレス非公開での書き込み者による記事の書き込みが可能な掲示板を有し、インターネットを介した掲示板への訪問者による書き込み者の非公開アドレスに対する電子メールの送信を管理するように構成される。この管理システムは、アドレス非公開の書き込み者による掲示板への記事の書き込みを受け付け、且つ、インターネットを介してこの掲示板に対する訪問者からの訪問を受け付ける管理を行うサーバーと、このサーバーを介して訪問者に贈り物に対する代金支払い情報を送信し、訪問者による支払い代金の決済確認を行う決済管理手段と、掲示板に記事の書き込みを行った書き込み者を贈り物送付先とする贈り物送付情報、代金支払い情報、決済確認情報等を記憶する記憶手段とを備えて構成される。そして、インターネット上でサーバーにより管理された掲示板を訪問した訪問者が掲示板の記事の書き込み者に対して贈り物の送付と電子メールの送付を求めたときに、決済管理手段はサーバーを介して訪問者に対して贈り物の代金支払い情報を送り、インターネット上でサーバーを介して訪問者による贈り物の代金支払い先に対する決済終了を決済手段が確認したときに、サーバーは記憶手段に記憶された書き込み者の非公開の電子メールアドレスを訪問者に通知し、記憶手段に記憶された書き込み者の贈り物送付情報に基づいて、贈り物を書き込み者に贈る。
【０００７】
なお、記憶手段に記憶された書き込み者の贈り物送付情報に基づいて、サイト管理者により通常の流通手段を用いて、贈り物を書き込み者に贈るように構成するのが好ましい。
【発明の効果】
【０００８】
以上の構成の本発明に係る電子メール管理システムによれば、サーバー内で管理されている掲示板を訪問した訪問者が掲示板の記事の書き込み者に電子メールを送りたいと思ったときに、書き込み者のアドレスが非公開であるためこのままでは電子メールを送ることができない。しかしながら、書き込み者に対する贈り物の送付を求めると決済管理手段から贈り物の代金支払い情報が送られてくるため、訪問者がこの代金支払いを行ってその決済を終了し、これを決済手段が確認するとサーバーから記憶手段に記憶された書き込み者の非公開電子メールアドレスが通知される。この結果、訪問者は書き込み者に対してこの通知された電子メールアドレスを用いて電子メールを送信することかできる。
【０００９】
このような構成の管理システムを用いると、サイト管理者（システム管理者）に使用料金を支払うという課金システムを用いることなく、電子メールの送受信者同士の贈り物を仲介するという形で商品（贈り物）を販売することができ、且つその手数料という形でサイト（システム）の管理収入を得るという新たなビジネスを誕生させることができる。
【００１０】
また、掲示板の書き込み者にとっては、訪問者を引きつける記事を掲載すれば贈り物を貰えるという期待感から、掲示板への記事の書き込み数が増大し、もっと真剣に書き込みを行うようになるという効果が考えられる。一方、掲示板への訪問者からすると、サイトへの使用料金支払いという形式ではなく、電子メールの送付先である書き込み者に対して贈り物をするということでこの掲示板システムに参加しやすくなるという効果が期待できる。さらに、贈り物をするということで、より真剣に贈り物を送付する相手を選ぶことになり、訪問者からの電子メール発信数は現状より少なくなると考えられる。
【００１１】
このため、掲示板の書き込み参加を増大させる一方で訪問者からの電子メール送信数を減少させて、掲示板の掲載者と訪問者とのアンバランスを小さくでき、且つ、掲示板の運営者、掲載者および訪問者のいずれにとっても利点があり且つ使い勝手のよい電子メール管理システムを提供することができる。
【発明を実施するための最良の形態】
【００１２】
以下、本発明の好ましい実施形態について図面を参照して説明する。図１に、本発明を用いた電子メール管理システム全体の構成を示しており、このシステムでは決済機能（決済手段）を有する掲示板１ａを用いる。このシステムでは、訪問者Ｍ２はインターネットＩＮに接続して掲示板１ａを閲覧することができ、その掲示板１ａの書き込み者Ｍ１（書き込み記事）に電子メール送信と贈り物Ｐの申し込みをすることができるようになっている。
【００１３】
このシステムは、インターネットＩＮに接続してメール送受信等を受け付けるサーバー１と、このサーバー１に繋がった決済手段２および記憶装置３とを有して構成され、サーバー１はインターネットＩＮ上で閲覧可能であって、アドレス非公開での書き込み者Ｍ１による記事の書き込みが可能な掲示板１ａを有している。なお、このシステムはサイト管理者５により管理運営される。サーバー１はアドレス非公開の書き込み者Ｍ１による掲示板１ａへの記事の書き込みを受け付け、且つ、インターネットＩＮを介してこの掲示板１ａに対する訪問者Ｍ２からの訪問を受け付ける管理を行う。また、決済手段２はこのサーバー１を介して訪問者Ｍ２に贈り物に対する代金支払い情報を送信し、訪問者Ｍ２による支払い代金の決済確認を行う。記憶装置３には、掲示板１ａに記事の書き込みを行った書き込み者Ｍ１を贈り物送付先とする贈り物送付情報、代金支払い情報、決済確認情報等が記憶されている。
【００１４】
図２には、訪問者Ｍ２からインターネットＩＮを介してサーバー１に対して書き込み者Ｍ１（書き込み記事）への電子メール送信と贈り物Ｐの申し込みがなされたときに、このような申し込みに対するシステムの処理内容をフローチャートで示しており、以下においては、この処理内容について図１に加えて図２を参照しつつ説明する。
【００１５】
このシステムにおいては、インターネットＩＮ上でサーバー１により管理された掲示板１ａを訪問した訪問者Ｍ２が掲示板１ａの記事の書き込み者Ｍ１に対して贈り物Ｐの送付と電子メールの送付を求めたとき（ステップＳ１）に、申し込みがあった電子メール送信要求先と贈り物対象先が同一であるか確認する（ステップＳ２）。確認終了後、決済手段２はサーバー１を介して訪問者Ｍ２に対して贈り物Ｐの代金支払い情報を送り、インターネットＩＮ上でサーバー１を介して訪問者Ｍ２による贈り物Ｐの代金支払い先に対する決済終了を決済手段２が確認する（ステップＳ３）。
【００１６】
そして、決済終了を確認したときには、サーバー１は電子メールソフト、又はフォームを起動し、記憶装置３に記憶された書き込み者Ｍ１の非公開の電子メールアドレスを訪問者Ｍ２に通知す（ステップＳ４）。なお、このときの電子メールアドレスは、仮設定のアドレスでも可能である。あとは訪問者Ｍ２が書き込み者Ｍ１に電子メールを送信するだけである（ステップＳ５）。このとき、サイト管理者５は記憶装置３に記憶された書き込み者Ｍ１の贈り物送付情報に基づいて、贈り物Ｐを書き込み者Ｍ１に贈る。この贈り物Ｐの送付は、現在の通常の流通システムを通じて行われるため、物流の問題上、電子メール到着と贈り物Ｐが実際に到着する時間とに時差が生じるのは避けられず、書き込み者Ｍ１の了解を得ざるを得ない。
【図面の簡単な説明】
【００１７】
【図１】本発明に係る電子メール管理システムの全体構成図である。
【図２】本発明のシステムにおける訪問者側からの申し込みに対する処理内容を示すフローチャートである。
【符号の説明】
【００１８】
１  サーバー
１ａ  掲示板
２  決済手段
３  記憶装置
５  サイト管理者
ＩＮ  インターネット
Ｍ１  書き込み者
Ｍ２  訪問者
【図１】
2004185636.tif 000003
【図２】
2004185636.tif 000004